(57)【要約】【課題】不要な画像の他の装置への提供を抑制し、該他の装置での不要な画像処理の実行を軽減する。【解決手段】同一サイズの原稿を読み取る非混載モード、または異なるサイズの原稿を読み取る混載モードの指定入力を受付ける入力受付部１０１と、原稿の画像を読み取る原稿読取部１０６と、読み取りの完了した原稿を排出して次の原稿を搬送する搬送準備動作を行う原稿搬送部２０１と、原稿サイズを検知する原稿サイズ検知部２０３と、読取準備動作を行う読取準備動作部１０５と、非混載モードの指定入力を受付けた場合並行動作制御を行い、混載モードの指定入力を受付けた場合逐次動作制御を行う動作制御部１０３とを備え、動作制御部１０３は、非混載モードの指定入力を受付けた場合でも、次の原稿の原稿サイズが直前に読み取った原稿の原稿サイズと異なる場合、並行動作制御から逐次動作制御に切替える。【選択図】図２
2010210666.tif 000002
【特許請求の範囲】
【請求項１】
画像読取装置において、
原稿サイズが同一である複数枚の原稿を読み取る原稿非混載モード、または原稿サイズが異なる複数枚の原稿を読み取る原稿混載モードの指定入力を受付ける入力受付手段と、
原稿を載置する原稿載置部から、原稿の読取り時に原稿が載置される原稿読取載置部に搬送された原稿の画像を読み取る画像読取手段と、
読み取りの完了した前記原稿読取載置部に載置された原稿を排出して前記原稿載置部に載置された次の原稿を前記原稿読取載置部に搬送する搬送準備動作を行う原稿搬送手段と、
前記搬送準備動作で搬送される原稿の原稿サイズを検知するサイズ検知手段と、
前記画像読取手段によって前記次の原稿の読み取りを行うために必要な読取準備動作を行う読取準備動作手段と、
前記原稿非混載モードの指定入力を受付けた場合、前記搬送準備動作と並行して前記読取準備動作を行う並行動作制御を行い、前記原稿混載モードの指定入力を受付けた場合、前記搬送準備動作の完了後に前記読取準備動作を行う逐次動作制御を行う動作制御手段とを備え、
前記動作制御手段は、前記原稿非混載モードの指定入力を受付けた場合であっても、前記サイズ検知手段により検知された前記次の原稿の原稿サイズが、前記次の原稿の直前に読み取った原稿の原稿サイズと異なる場合には、前記並行動作制御から前記逐次動作制御に切替えることを特徴とする画像読取装置。
【請求項２】
前記画像読取手段は、前記原稿読取載置部に停止している原稿に、走行体を副走査方向に移動させつつ前記走行体の搭載する光源および光学系によって原稿に照射した光の主走査方向の反射光を光電変換手段で光電変換させて、原稿の主走査方向の読み取りを行いつつ副走査方向の読み取りを行うことで、原稿の画像を読み取り、
前記読取準備動作手段は、前記画像読取手段によって前記次の原稿の読み取りを行うための前記走行体の位置調整および前記光電変換手段の設定を含む前記読取準備動作を行うことを特徴とする請求項１に記載の画像読取装置。
【請求項３】
前記搬送準備動作で搬送される原稿のジャムを検知するジャム検知手段をさらに備え、
前記読取準備動作手段は、前記動作制御手段により前記逐次動作制御に切替えられ、前記ジャム検知手段により原稿のジャムが検知された場合、前記読取準備動作を行わず、
前記画像読取手段は、前記動作制御手段により前記逐次動作制御に切替えられ、前記読取準備動作手段により前記読取準備動作が行われない場合、原稿の画像を読み取らないことを特徴とする請求項２に記載の画像読取装置。
【請求項４】
前記搬送準備動作で搬送される原稿のジャムを検知するジャム検知手段をさらに備え、
前記読取準備動作手段は、前記動作制御手段により前記逐次動作制御に切替えられ、前記ジャム検知手段により原稿のジャムが検知されなかった場合、前記搬送準備動作の完了後に前記読取準備動作を行い、
前記画像読取手段は、前記動作制御手段により前記逐次動作制御に切替えられ、前記読取準備動作手段により前記読取準備動作が行われた場合、原稿の画像を読み取ることを特徴とする請求項２に記載の画像読取装置。
【請求項５】
前記動作制御手段は、前記原稿混載モードの指定入力を受付けた場合であっても、前記サイズ検知手段により検知された前記次の原稿の原稿サイズが、前記次の原稿の直前に読み取った原稿の原稿サイズと同一である場合には、前記逐次動作制御から前記並行動作制御に切替えることを特徴とする請求項１〜４のいずれか一つに記載の画像読取装置。
【請求項６】
前記画像読取手段により読み取った画像を、他の装置に提供する画像提供手段をさらに備えることを特徴とする請求項１〜５のいずれか一つに記載の画像読取装置。
【請求項７】
前記サイズ検知手段および前記ジャム検知手段は、前記原稿搬送手段に設けられていることを特徴とする請求項１〜６のいずれか一つに記載の画像読取装置。
【請求項８】
画像読取装置で実行される原稿読取方法において、
入力受付手段が、原稿サイズが同一である複数枚の原稿を読み取る原稿非混載モード、または原稿サイズが異なる複数枚の原稿を読み取る原稿混載モードの指定入力を受付ける入力受付ステップと、
画像読取手段が、原稿を載置する原稿載置部から、原稿の読取り時に原稿が載置される原稿読取載置部に搬送された原稿の画像を読み取る画像読取ステップと、
原稿搬送手段が、読み取りの完了した前記原稿読取載置部に載置された原稿を排出して前記原稿載置部に載置された次の原稿を前記原稿読取載置部に搬送する搬送準備動作を行う原稿搬送ステップと、
サイズ検知手段が、前記搬送準備動作で搬送される原稿の原稿サイズを検知するサイズ検知ステップと、
読取準備動作手段が、前記画像読取ステップによって前記次の原稿の読み取りを行うために必要な読取準備動作を行う読取準備動作ステップと、
動作制御手段が、前記原稿非混載モードの指定入力を受付けた場合、前記搬送準備動作と並行して前記読取準備動作を行う並行動作制御を行い、前記原稿混載モードの指定入力を受付けた場合、前記搬送準備動作の完了後に前記読取準備動作を行う逐次動作制御を行う第１動作制御ステップと、
前記動作制御手段が、前記原稿非混載モードの指定入力を受付けた場合であっても、前記サイズ検知ステップにより検知された前記次の原稿の原稿サイズが、前記次の原稿の直前に読み取った原稿の原稿サイズと異なる場合には、前記並行動作制御から前記逐次動作制御に切替える第２動作制御ステップと、
を含むことを特徴とする画像読取方法。
【請求項９】
入力受付手段が、原稿サイズが同一である複数枚の原稿を読み取る原稿非混載モード、または原稿サイズが異なる複数枚の原稿を読み取る原稿混載モードの指定入力を受付ける入力受付ステップと、
画像読取手段が、原稿を載置する原稿載置部から、原稿の読取り時に原稿が載置される原稿読取載置部に搬送された原稿の画像を読み取る画像読取ステップと、
原稿搬送手段が、読み取りの完了した前記原稿読取載置部に載置された原稿を排出して前記原稿載置部に載置された次の原稿を前記原稿読取載置部に搬送する搬送準備動作を行う原稿搬送ステップと、
サイズ検知手段が、前記搬送準備動作で搬送される原稿の原稿サイズを検知するサイズ検知ステップと、
読取準備動作手段が、前記画像読取ステップによって前記次の原稿の読み取りを行うために必要な読取準備動作を行う読取準備動作ステップと、
動作制御手段が、前記原稿非混載モードの指定入力を受付けた場合、前記搬送準備動作と並行して前記読取準備動作を行う並行動作制御を行い、前記原稿混載モードの指定入力を受付けた場合、前記搬送準備動作の完了後に前記読取準備動作を行う逐次動作制御を行う第１動作制御ステップと、
前記動作制御手段が、前記原稿非混載モードの指定入力を受付けた場合であっても、前記サイズ検知ステップにより検知された前記次の原稿の原稿サイズが、前記次の原稿の直前に読み取った原稿の原稿サイズと異なる場合には、前記並行動作制御から前記逐次動作制御に切替える第２動作制御ステップと、
をコンピュータに実行させるための画像読取プログラム。
【発明の詳細な説明】
【技術分野】
【０００１】
本発明は、原稿読取載置部に載置された原稿を読み取る画像読取装置、画像読取方法、および画像読取プログラムに関する。
【背景技術】
【０００２】
従来から、原稿を１枚ずつ分離してコンタクトガラス等の原稿読取台（原稿読取載置部）に搬送するＡＤＦ（Auto  Document  Feeder：自動原稿搬送装置）を備え、ＡＤＦから原稿読取台上に搬送されてきた原稿を原稿読取台上に静止させて、走査部を搭載するキャリッジ（走行体）を副走査方向に移動させながら、走査部で静止されている原稿を主走査及び副走査して、原稿の画像を読み取る画像読取装置がある（例えば、特許文献１参照）。
【０００３】
このような画像読取装置方式における読取制御方式としては、従来から、図９に示す逐次動作制御方式と、図１０に示す並行動作制御方式が用いられている。
【０００４】
図９の逐次動作制御方式では、画像読取装置本体（本体部）は、読取期間で走査部を搭載するキャリッジを移動させつつ原稿読取台上の原稿で反射された反射光をその搭載する光電変換素子に導入して原稿の画像を読み取る。読み取りが終了すると、本体部は、ゲートネゲート（読取終了）信号に応じて、ＡＤＦに原稿入替指示信号を出力し、キャリッジを基準位置に戻すリターン動作（キャリッジリターン）及び該キャリッジを基準位置に停止させるキャリッジ停止動作を行う。
【０００５】
ＡＤＦは、本体部から原稿入替指示信号を受付けると、原稿読取台上の原稿を排出するとともに、原稿台（原稿載置部）上の次の原稿１枚を原稿読取台上に搬送して入れ替える原稿入替動作を搬送準備動作として行う。この搬送準備動作が完了すると、ＡＤＦは、本体部に原稿入替完了通知を行う。
【０００６】
本体部は、ＡＤＦから原稿入替完了通知を受け取ると、読取光を光電変換する光電変換素子であるＣＣＤ（Charge  Coupled  Device）センサの設定を行って、原稿読取台上の原稿を走査することによる読取動作が可能な状態からキャリッジのフォワード動作を開始して読取直前にシェーディングを行なうフォワード＆シェーディング動作（読取準備動作）を行った後、ゲートアサート（読取開始）信号に応じて、原稿の読み取りを開始する。
【０００７】
一方、図１０の並行動作制御方式では、画像読取装置本体（本体部）は、読取期間で走査部を搭載するキャリッジを移動させつつ原稿読取台上の原稿の画像を読み取る。読み取りが終了すると、本体部は、ゲートネゲート（読取終了）信号に応じて、ＡＤＦに原稿入替指示信号を出力し、キャリッジを基準位置に戻すリターン動作（キャリッジリターン）及び該キャリッジを基準位置に停止させるキャリッジ停止動作を行う。並行動作制御では、このキャリッジ停止動作の時間に、次のフォワード＆シェーディング動作（読取準備動作）を並行動作させて時間を短縮することで、原稿の読み取り時間を短縮し、生産性を向上させることができる。
【０００８】
ＡＤＦは、本体部から原稿入替指示信号を受付けると、原稿読取台上の原稿を排出するとともに、原稿台上の次の原稿１枚を原稿読取台上に搬送して入れ換える原稿入替動作を搬送準備動作として行う。この搬送準備動作が完了すると、ＡＤＦは、本体部に原稿入替完了通知を行う。
【０００９】
本体部は、ＡＤＦに原稿入替指示信号を出力すると、上述のように、リターン動作およびキャリッジ停止動作を行って、キャリッジを基準位置に戻して停止させると、ＡＤＦからの原稿入替完了通知の受付けを待つことなく、ＣＣＤセンサの設定を行なって、原稿読取台上の原稿を走査することによる読取動作が可能な状態からキャリッジのフォワード動作を開始して読取直前にシェーディングを行なうフォワード＆シェーディング動作（読取準備動作）を行った後、ゲートアサート（読取開始）信号に応じて、原稿の読み取りを開始する。
【００１０】
従って、フォワード＆シェーディング動作（読取準備動作）が完了する前に、ＡＤＦによる原稿入替動作（搬送準備動作）が完了していると、フォワード＆シェーディング動作の完了後すぐに、原稿の読取動作を開始し、迅速かつ適切に原稿の読み取りを行うことができる。
【００１１】
ところが、図１１に示すように、フォワード＆シェーディング動作（読取準備動作）が完了した後に、ＡＤＦによる原稿入替動作が完了すると、原稿読取台上への原稿のセットが完了していない状態で原稿の読取動作を開始してしまい、読取画像に異常画像が発生して、適切な原稿の読み取りを行うことができない状態となる。従って、原稿の読取動作を開始する前に、原稿入替動作を完了させるように制御する必要がある。また、搬送準備時間（原稿入替期間）は、原稿の搬送速度や原稿長サイズという条件によって変動するため、搬送準備動作が終了するタイミングを見計らって、読取準備動作を実行するように制御する必要がある。
【００１２】
そこで、原稿サイズに応じた走査時間から、原稿送給装置が原稿交換の指示信号を受けてから可動状態に入るまでの時間に相当する時間以内で所定時間を差し引いた時間をタイマが計時すると、原稿給紙装置に原稿交換信号を出力し、タイマが原稿サイズに応じた走査時間を計時すると走査手段を復動させる複写装置が提案されている（例えば、特許文献２参照）。
【００１３】
この特許文献２のような並行動作制御は生産性向上のための制御であって、原稿サイズに応じた所定時間をタイマが計時するため、原稿サイズが同一である複数枚の原稿をに読み取る非混載モードで実施されている。一方、上述した逐次動作制御は、原稿サイズが異なる複数枚の原稿を読み取る混載モードで実施されている。
【発明の概要】
【発明が解決しようとする課題】
【００１４】
しかしながら、画像読取装置の原稿台に載置されている複数の原稿が異なる原稿サイズの混載状態にも関わらず、利用者によって混載モードの指定入力がされずに非混載モードの指定入力がされて並行動作制御による読取りが実施されることがある。この場合、画像読取装置は、ＡＤＦによる原稿入替動作における入替完了直前にジャムを検知することになるが、並行動作制御による画像の読取動作を開始した後でジャムを検知する可能性がある。
【００１５】
ジャムが検知されると、読み取り始めた画像は破棄処理が行なわれることになるが、読み取られた画像を受け取る他の装置、例えば印刷装置やファクシミリ装置、ＰＣ（Personal  Computer）などが画像をラインごとに利用する場合、それらの画像を受け取る装置は、ジャムが検知されるまでは破棄される画像ラインデータを利用してしまう。すなわち、例えば、印刷装置に画像が送られた場合、印刷装置が先端側から印刷用紙にラインごとに画像を転写してしまうため、ジャム異常により破棄される画像ラインデータに該当する印刷用紙も破棄対象となってしまい、不必要な印刷が行なわれてしまうという問題があった。
【００１６】
本発明は、上記に鑑みてなされたものであって、不要な画像の他の装置への提供を抑制し、当該他の装置における不要な画像処理の実行を軽減することができる画像読取装置、画像読取方法、および画像読取プログラムを得ることを目的とする。
【課題を解決するための手段】
【００１７】
上述した課題を解決し、目的を達成するために、本発明は、画像読取装置において、原稿サイズが同一である複数枚の原稿を読み取る原稿非混載モード、または原稿サイズが異なる複数枚の原稿を読み取る原稿混載モードの指定入力を受付ける入力受付手段と、原稿を載置する原稿載置部から、原稿の読取り時に原稿が載置される原稿読取載置部に搬送された原稿の画像を読み取る画像読取手段と、読み取りの完了した前記原稿読取載置部に載置された原稿を排出して前記原稿載置部に載置された次の原稿を前記原稿読取載置部に搬送する搬送準備動作を行う原稿搬送手段と、前記搬送準備動作で搬送される原稿の原稿サイズを検知するサイズ検知手段と、前記画像読取手段によって前記次の原稿の読み取りを行うために必要な読取準備動作を行う読取準備動作手段と、前記原稿非混載モードの指定入力を受付けた場合、前記搬送準備動作と並行して前記読取準備動作を行う並行動作制御を行い、前記原稿混載モードの指定入力を受付けた場合、前記搬送準備動作の完了後に前記読取準備動作を行う逐次動作制御を行う動作制御手段とを備え、前記動作制御手段は、前記原稿非混載モードの指定入力を受付けた場合であっても、前記サイズ検知手段により検知された前記次の原稿の原稿サイズが、前記次の原稿の直前に読み取った原稿の原稿サイズと異なる場合には、前記並行動作制御から前記逐次動作制御に切替えることを特徴とする。
【００１８】
また、本発明は、画像読取装置で実行される原稿読取方法において、入力受付手段が、原稿サイズが同一である複数枚の原稿を読み取る原稿非混載モード、または原稿サイズが異なる複数枚の原稿を読み取る原稿混載モードの指定入力を受付ける入力受付ステップと、画像読取手段が、原稿を載置する原稿載置部から、原稿の読取り時に原稿が載置される原稿読取載置部に搬送された原稿の画像を読み取る画像読取ステップと、原稿搬送手段が、読み取りの完了した前記原稿読取載置部に載置された原稿を排出して前記原稿載置部に載置された次の原稿を前記原稿読取載置部に搬送する搬送準備動作を行う原稿搬送ステップと、サイズ検知手段が、前記搬送準備動作で搬送される原稿の原稿サイズを検知するサイズ検知ステップと、読取準備動作手段が、前記画像読取ステップによって前記次の原稿の読み取りを行うために必要な読取準備動作を行う読取準備動作ステップと、動作制御手段が、前記原稿非混載モードの指定入力を受付けた場合、前記搬送準備動作と並行して前記読取準備動作を行う並行動作制御を行い、前記原稿混載モードの指定入力を受付けた場合、前記搬送準備動作の完了後に前記読取準備動作を行う逐次動作制御を行う第１動作制御ステップと、前記動作制御手段が、前記原稿非混載モードの指定入力を受付けた場合であっても、前記サイズ検知ステップにより検知された前記次の原稿の原稿サイズが、前記次の原稿の直前に読み取った原稿の原稿サイズと異なる場合には、前記並行動作制御から前記逐次動作制御に切替える第２動作制御ステップと、を含むことを特徴とする。
【００１９】
また、本発明は、入力受付手段が、原稿サイズが同一である複数枚の原稿を読み取る原稿非混載モード、または原稿サイズが異なる複数枚の原稿を読み取る原稿混載モードの指定入力を受付ける入力受付ステップと、画像読取手段が、原稿を載置する原稿載置部から、原稿の読取り時に原稿が載置される原稿読取載置部に搬送された原稿の画像を読み取る画像読取ステップと、原稿搬送手段が、読み取りの完了した前記原稿読取載置部に載置された原稿を排出して前記原稿載置部に載置された次の原稿を前記原稿読取載置部に搬送する搬送準備動作を行う原稿搬送ステップと、サイズ検知手段が、前記搬送準備動作で搬送される原稿の原稿サイズを検知するサイズ検知ステップと、読取準備動作手段が、前記画像読取ステップによって前記次の原稿の読み取りを行うために必要な読取準備動作を行う読取準備動作ステップと、動作制御手段が、前記原稿非混載モードの指定入力を受付けた場合、前記搬送準備動作と並行して前記読取準備動作を行う並行動作制御を行い、前記原稿混載モードの指定入力を受付けた場合、前記搬送準備動作の完了後に前記読取準備動作を行う逐次動作制御を行う第１動作制御ステップと、前記動作制御手段が、前記原稿非混載モードの指定入力を受付けた場合であっても、前記サイズ検知ステップにより検知された前記次の原稿の原稿サイズが、前記次の原稿の直前に読み取った原稿の原稿サイズと異なる場合には、前記並行動作制御から前記逐次動作制御に切替える第２動作制御ステップと、をコンピュータに実行させるための画像読取プログラムである。
【発明の効果】
【００２０】
本発明によれば、不要な画像の他の装置への提供を抑制し、当該他の装置における不要な画像処理の実行を軽減することができるという効果を奏する。
【図面の簡単な説明】
【００２１】
【図１】図１は、実施の形態１にかかるスキャナを示す構成図である。
【図２】図２は、実施の形態１にかかるスキャナの構成を示す機能構成図である。
【図３】図３は、実施の形態１にかかるスキャナにおける逐次動作制御方式の概略の一例を示す説明図である。
【図４】図４は、実施の形態１にかかるスキャナにおける並行動作制御方式の概略の一例を示す説明図である。
【図５】図５は、実施の形態１にかかるスキャナにおける並行動作制御方式においてジャムが検知された場合を示す説明図である。
【図６】図６は、実施の形態１にかかるスキャナの本体部における１枚目の原稿の読取処理の流れを示すフローチャートである。
【図７】図７は、実施の形態１にかかるスキャナの本体部における２枚目以降の原稿の読取処理の流れを示すフローチャートである。
【図８】図８は、第１、２の実施の形態にかかるスキャナのハードウェア構成を示すブロック図である。
【図９】図９は、逐次動作制御方式の概略を示す説明図である。
【図１０】図１０は、並行動作制御方式の概略を示す説明図である。
【図１１】図１１は、並行動作制御方式における制御の失敗例の概略を示す説明図である。
【発明を実施するための形態】
【００２２】
以下に添付図面を参照して、この発明にかかる画像読取装置、画像読取方法、および画像読取プログラムの最良な実施の形態を詳細に説明する。なお、以下の実施の形態においては、本発明にかかる画像読取装置をスキャナに適用した例を示すが、これに限定されることなく、画像形成装置であれば、本発明を適用することができる。
【００２３】
（実施の形態１）
図１は、実施の形態１にかかるスキャナを示す構成図である。スキャナ１（画像読取装置）は、載置された原稿を読み取るものであり、図１に示すように、本体部２の上面部に、原稿の読取り時に原稿が載置されるコンタクトガラス（原稿読取載置部）３が配設されており、該コンタクトガラス３の上部を開閉可能に覆う状態で、ＡＤＦ４が装着されている。
【００２４】
ＡＤＦ４には、読取対象の原稿を複数枚載置する原稿台（原稿載置部）１１、読み取りの完了した原稿が排紙される原稿排紙台１２、原稿台１１上の原稿を一枚ずつ分離してコンタクトガラス３方向に送り出す分離コロ１３と給紙コロ１４からなる給紙部１５、該給紙部１５で送り出された原稿をコンタクトガラス３上の所定の読取位置に搬送するとともに読み取りの完了した原稿を排紙方向に送り出す搬送ベルト機構１６、および搬送ベルト機構１６で送り出された原稿を原稿排紙台１２上に排出する排紙コロ対１７等を備えている。
【００２５】
そして、搬送ベルト機構１６は、複数の搬送コロ１８と該搬送コロ１８に張り渡された搬送ベルト１９を備えていて、搬送コロ１８のうち少なくとも１つが給紙モータ（不図示）で回転駆動されることで、搬送ベルト１９が図１中反時計方向に回転して、原稿をコンタクトガラス３上の読取位置に搬送し、また、コンタクトガラス３上の原稿を排紙コロ対１７に搬送する。
【００２６】
スキャナ１は、コンタクトガラス３の下方の本体部２内に、光学走査ユニットが収納されている。光学走査ユニットは、照明ランプ２１と第１ミラー（光学系）２２を搭載する第１走行体２３、光学系としての第２ミラー２４と第３ミラー２５を搭載する第２走行体２６、レンズユニット２７及び光電変換手段としてのＣＣＤ２８等から構成されている。
【００２７】
光学走査ユニットは、第１走行体２３と第２走行体２６が走行体モータ（不図示）により副走査方向（図１の左右方向）に移動され、第１走行体２３上の照明ランプ２１からコンタクトガラス３上に載置された原稿に光を照射する。そして、該原稿で反射された光の反射光を第１走行体２３上の第１ミラー２２で第２走行体２６方向に反射し、第２走行体２６上の第２ミラー２４及び第３ミラー２５で第１走行体２３から入射される光を順次反射して、レンズユニット２７方向に出射させる。
【００２８】
レンズユニット２７は、第２走行体２６から入射される光をＣＣＤ２８に集光して入射させる。ＣＣＤ２８は、１次元に複数の光電変換素子としてのＣＣＤ素子が配列されており、レンズユニット２７から入射される入射光を光電変換して、アナログの画像データ（画像信号）を出力する。
【００２９】
すなわち、光学走査ユニットは、第１走行体２３及び第２走行体２６を副走査方向に移動させるとともに、第１走行体２３及び第２走行体２６の搭載する照明ランプ２１及び光学系としての第１ミラー２２、第２ミラー２４、第３ミラー２５を利用して原稿に照射した光の主走査方向の反射光をＣＣＤ２８で光電変換させて原稿の主走査方向の読み取りを行いつつ副走査方向の読み取りを行って該原稿の画像を読み取る。
【００３０】
図２は、実施の形態１にかかるスキャナの構成を示す機能構成図である。スキャナ１は、上述したように、本体部２における第１走行体２３、第２走行体２６、レンズユニット２７、およびＣＣＤ２８等によって原稿の画像を読み取るが、当該読み取り処理の前に、読取準備動作を行う。読取準備動作とは、図９におけるフォワード＆シェーディング動作を示しており、原稿の読み取りが終了した後次の原稿の読取りを行なうために第１走行体２３および第２走行体２６の基準位置へのリターン動作やＣＣＤ２８の設定を行ない、コンタクトガラス３上の原稿を走査することによる読取り動作が可能な状態から、第１走行体２３および第２走行体２６のフォワード動作を開始して読取り直前にシェーディングを行なうことである。
【００３１】
また、スキャナ１は、上述したように、ＡＤＦ４における原稿台１１、原稿排紙台１２、給紙部１５、搬送ベルト機構１６、排紙コロ対１７、複数の搬送コロ１８、および搬送ベルト１９等によって搬送準備動作を行う。搬送準備動作とは、読み取りの完了したコンタクトガラス３上の原稿を排出するとともに、原稿台上の次の原稿１枚をコンタクトガラス３上に搬送して入れ替える原稿入替動作のことである。
【００３２】
本実施の形態のスキャナ１では、この搬送準備動作と読取準備動作を並行して行う並行動作制御方式と、搬送準備動作の完了後に読取準備動作を行う逐次動作制御方式との両制御方式による原稿の読取制御が可能となっている。
【００３３】
図２に示すように、スキャナ１におけるＡＤＦ４は、原稿搬送部２０１と、原稿情報通信部２０２と、原稿サイズ検知部２０３と、ジャム検知部２０４とを主に備えている。
【００３４】
原稿搬送部２０１は、上述した給紙部１５、搬送ベルト機構１６、排紙コロ対１７、複数の搬送コロ１８、および搬送ベルト１９等によって、読み取りの完了したコンタクトガラス３上に載置された原稿を原稿排紙台１２に排出して、原稿台１１に載置された次の原稿をコンタクトガラス３上に搬送する搬送準備動作を行うものである。
【００３５】
原稿サイズ検知部２０３は、原稿搬送部２０１の原稿が通過する位置に設けられ、搬送準備動作で搬送される搬送過程において原稿の原稿サイズを検知するセンサである。例えば、原稿サイズ検知部２０３は、原稿の搬送動作に伴って原稿の搬送方向の先端および後端、原稿の幅を検知し、それらの検知時間の差によって、原稿サイズを判定する。なお、原稿サイズ検知部２０３による原稿サイズの判定は、原稿がコンタクトガラス３上に停止させる直前となる。
【００３６】
ジャム検知部２０４は、原稿搬送部２０１の原稿が通過する位置に設けられ、搬送準備動作で搬送される搬送過程において原稿のジャム情報を検知するセンサである。例えば、ジャム検知部２０４は、搬送される原稿の搬送方向の先端および後端、原稿の幅を検知し、それらの検知時間の差によって、予め設定された原稿サイズと異なるか否かを判定し、異なる場合にはジャムと判定するものである。
【００３７】
原稿情報通信部２０２は、原稿搬送部２０１の原稿の搬送状況、原稿サイズ検知部２０３により検知された原稿サイズ、およびジャム検知部２０４により検知されたジャム情報を示すジャム検知情報を、本体部２に送信するものである。また、原稿情報通信部２０２は、原稿搬送部２０１による搬送準備動作が完了した場合、本体部２にその旨を示す原稿入替完了通知を送信する。また、原稿情報通信部２０２は、本体部２から原稿を搬送してコンタクトガラス３上の原稿の入替の指示する旨の原稿入替指示信号を受信することで、原稿搬送部２０１に搬送準備動作を開始させる。
【００３８】
また、スキャナ１における本体部２は、入力受付部１０１と、モード設定部１０２と、動作制御部１０３と、タイマ部１０４と、読取準備動作部１０５と、原稿読取部１０６と、画像提供部１０７と、原稿情報通信部１０８と、画像処理部１０９と、原稿サイズ記憶部１２０と、画像データ記憶部１３０とを主に備えている。
【００３９】
入力受付部１０１は、利用者からの各種入力を受付けるものであり、本実施の形態では、原稿を読み取る読取モードの指定入力を受付ける。具体的には、入力受付部１０１は、原稿サイズが同一である複数枚の原稿を連続的に読み取る読取モードである非混載モード、または原稿サイズが異なる複数枚の原稿を連続的に読み取る読取モードである混載モードの指定入力を受付ける。
【００４０】
モード設定部１０２は、入力受付部１０１により受付けたいずれかの読取モードを不図示のモード記憶部に記憶することで、スキャナ１の読取モードを設定するものである。
【００４１】
原稿情報通信部１０８は、原稿搬送部２０１の原稿の搬送状況、原稿サイズ検知部２０３により検知された原稿サイズ、およびジャム検知部２０４により検知されたジャム検知情報をＡＤＦ４から受信し、原稿サイズを原稿サイズ記憶部１２０に記憶するものである。また、原稿情報通信部１０８は、原稿搬送部２０１による搬送準備動作が完了した場合、原稿入替完了通知をＡＤＦ４から受信する。また、原稿情報通信部１０８は、原稿入替指示信号をＡＤＦ４に送信する。
【００４２】
動作制御部１０３は、モード設定部１０２により読取モードが非混載モードに設定された場合、読取準備動作部１０５の動作タイミングを制御して、搬送準備動作と並行して読取準備動作を行う並行動作制御を実行する。また、動作制御部１０３は、モード設定部１０２により読取モードが混載モードに設定された場合、読取準備動作部１０５の動作タイミングを制御して、搬送準備動作の完了後に読取準備動作を行う逐次動作制御を実行する。
【００４３】
また、動作制御部１０３は、モード設定部１０２により読取モードが非混載モードに設定された場合であっても、ＡＤＦ４から受信した次の原稿の原稿サイズが、該次の原稿の直前に読み取った原稿の原稿サイズと異なる場合には、読取準備動作部１０５の動作タイミングを制御することで、並行動作制御から逐次動作制御に切替える。
【００４４】
読取準備動作部１０５は、原稿読取部１０６によって次の原稿の読み取りを行うために必要な読取準備動作を行うものである。具体的には、読取準備動作部１０５は、原稿読取部１０６によって次の原稿の読み取りを行うための第１走行体２３および第２走行体２６の位置調整およびＣＣＤ２８の設定などの読取準備動作を行う。
【００４５】
また、読取準備動作部１０５は、動作制御部１０３により逐次動作制御に切替えられ、さらにＡＤＦ４から原稿のジャム検知情報を受信した場合、読取準備動作を行わない。また、読取準備動作部１０５は、動作制御部１０３により逐次動作制御に切替えられたが、ＡＤＦ４から原稿のジャム検知情報を受信しない場合、搬送準備動作の完了後に読取準備動作を行う。
【００４６】
原稿読取部１０６は、原稿台１１からコンタクトガラス３上に搬送されて停止した原稿の画像を読み取り、画像データ記憶部１３０に記憶するものである。具体的には、原稿読取部１０６は、コンタクトガラス３上に停止されている原稿に、第１走行体２３および第２走行体２６を副走査方向に移動させつつ第１走行体２３および第２走行体２６の搭載する光源およびレンズユニット２７等を利用して原稿に照射した光の主走査方向の反射光をＣＣＤ２８で光電変換させて、原稿の主走査方向の読み取りを行いつつ副走査方向の読み取りを行うことで、原稿の画像を読み取る。また、原稿読取部１０６は、読取準備動作部１０５により読取準備動作が行われない場合には、原稿の画像を読み取らず、読取準備動作部１０５により読取準備動作が行われた場合に原稿の画像を読み取る。
【００４７】
タイマ部１０４は、搬送準備動作（原稿入替動作）と並行して原稿の入替時間と読取り時間の差分となる所定時間を計測するものである。具体的には、タイマ部１０４は、スキャナ１において並行動作制御が行われている場合に、本体部２からＡＤＦ４に原稿入替指示信号が送信されると同時に上記所定時間を計測する。そして、タイマ部１０４による計測が終了すると、読取準備動作部１０５が読取準備動作を開始する。
【００４８】
画像提供部１０７は、原稿読取部１０６により読み取った画像データを、画像データ記憶部１３０から取得して、他の装置、例えば、印刷装置やファクシミリ装置、ＰＣに提供するものである。
【００４９】
画像処理部１０９は、原稿読取部１０６により読み取った画像から画像データを生成する処理等を行うものである。
【００５０】
原稿サイズ記憶部１２０は、ＡＤＦ４から受信した原稿サイズを保存するＨＤＤ（Hard  Disk  Drive）やメモリ等の記憶媒体である。
【００５１】
画像データ記憶部１３０は、原稿読取部１０６により読み取り、画像処理部１０９により生成された画像データを保存するＨＤＤやメモリ等の記憶媒体である。
【００５２】
次に、図３〜５を参照して、本実施の形態にかかるスキャナ１による逐次動作制御および並行動作制御、さらに並行動作制御から逐次動作制御への切替制御について説明する。
【００５３】
図３は、実施の形態１にかかるスキャナにおける逐次動作制御方式の概略の一例を示す説明図である。逐次動作制御方式は、混載モードに設定されている場合に行われる。まず、原稿搬送部２０１によりコンタクトガラス３上にＡ４サイズの原稿が搬送されて停止されている状態（ステップＳ１００）で、本体部２の原稿読取部１０６は原稿を読み取る（ステップＳ１０１）。原稿の読み取りが終了すると、原稿情報通信部１０８は、ＡＤＦ４に原稿入替指示信号を送信し、原稿読取部１０６は、キャリッジ（第１走行体２３および第２走行体２６）を基準位置に戻すリターン動作（キャリッジリターン）を行い（ステップＳ１０２）、該キャリッジを基準位置に停止させるキャリッジ停止動作を行う（ステップＳ１０３）。
【００５４】
一方、ＡＤＦ４では、原稿情報通信部２０２が原稿入替指示信号を受信すると、原稿搬送部２０１は、コンタクトガラス３上のＡ４サイズの原稿を排出するとともに、原稿台１１上のＡ３サイズの次の原稿１枚をコンタクトガラス３上に搬送して入れ替える原稿入替動作（搬送準備動作）を行う（ステップＳ１０４）。原稿入替動作が終了すると、原稿情報通信部２０２は、本体部２に原稿入替完了通知を送信する。
【００５５】
そして、本体部２では、原稿情報通信部１０８が原稿入替完了通知を受信すると、原稿搬送部２０１によりコンタクトガラス３上にＡ４サイズの原稿が搬送されて停止されている状態（ステップＳ１０５）で、読取準備動作部１０５は、読取準備動作を行う（ステップＳ１０６）。読取準備動作が終了すると、原稿読取部１０６は、原稿を読み取る（ステップＳ１０７）。原稿の読み取りが終了すると、原稿情報通信部１０８は、ＡＤＦ４に原稿入替指示信号を送信し、原稿読取部１０６は、リターン動作を行い（ステップＳ１０８）、キャリッジ停止動作を行う（ステップＳ１０９）。
【００５６】
そして、原稿情報通信部２０２が原稿入替指示信号を受信すると、原稿搬送部２０１は、コンタクトガラス３上のＡ３サイズの原稿を排出するとともに、原稿台１１上のＡ３サイズの次の原稿１枚をコンタクトガラス３上に搬送して入れ替える原稿入替動作（搬送準備動作）を行い（ステップＳ１１０）、処理が繰り返されていく。このように、逐次動作制御方式では、ＡＤＦ４からの原稿入替完了通知を受信してから、本体部２において読取準備動作を行い、原稿を読み取る。
【００５７】
図４は、実施の形態１にかかるスキャナにおける並行動作制御方式の概略の一例を示す説明図である。並行動作制御方式は、非混載モードに設定されている場合に行われる。まず、原稿搬送部２０１によりコンタクトガラス３上にＡ４サイズの原稿が搬送されて停止されている状態（ステップＳ１２０）で、本体部２の原稿読取部１０６が原稿を読み取る（ステップＳ１２１）。原稿の読み取りが終了すると、原稿情報通信部１０８は、ＡＤＦ４に原稿入替指示信号を送信し、タイマ部１０４が所定時間の計測を開始するとともに、原稿読取部１０６は、リターン動作を行い（ステップＳ１２２）、キャリッジ停止動作を行う（ステップＳ１２３）。そして、タイマ部１０４による計測が終了すると、読取準備動作部１０５は、読取準備動作を行う（ステップＳ１２４）。
【００５８】
一方、ＡＤＦ４では、原稿情報通信部２０２が原稿入替指示信号を受信すると、原稿搬送部２０１は、コンタクトガラス３上のＡ４サイズの原稿を排出するとともに、原稿台１１上の同一サイズの次の原稿１枚をコンタクトガラス３上に搬送して入れ替える原稿入替動作（搬送準備動作）を行う（ステップＳ１２５）。原稿入替動作が終了すると、原稿情報通信部２０２は、本体部２に原稿入替完了通知を送信する。
【００５９】
そして、本体部２では、原稿情報通信部１０８が原稿入替完了通知を受信したとき、既に読取準備動作部１０５が読取準備動作を行っているため、その読取準備動作が終了すると、原稿搬送部２０１によりコンタクトガラス３上にＡ４サイズの原稿が搬送されて停止されている状態（ステップＳ１２６）で、原稿読取部１０６は、原稿を読み取る（ステップＳ１２７）。原稿の読み取りが終了すると、原稿情報通信部１０８は、ＡＤＦ４に原稿入替指示信号を送信し、タイマ部１０４が所定時間の計測を開始するとともに、原稿読取部１０６は、リターン動作を行い（ステップＳ１２８）、キャリッジ停止動作を行う（ステップＳ１２９）。そして、タイマ部１０４による計測が終了すると、読取準備動作部１０５は、読取準備動作を行う（ステップＳ１３０）。
【００６０】
そして、原稿情報通信部２０２が原稿入替指示信号を受信すると、原稿搬送部２０１は、コンタクトガラス３上のＡ４サイズの原稿を排出するとともに、原稿台１１上の同一サイズの次の原稿１枚をコンタクトガラス３上に搬送して入れ替える原稿入替動作（搬送準備動作）を行い（ステップＳ１３１）、処理が繰り返されていく。このように、並行動作制御方式では、ＡＤＦ４からの原稿入替完了通知を受信する前であっても、タイマ部による計測が終了すると、本体部２において読取準備動作を行い、原稿を読み取る。従って、搬送準備動作と読取準備動作を並行して行うことができる。
【００６１】
しかし、原稿台に載置された複数の原稿が異なる原稿サイズの混載状態にも関わらず、利用者によって混載モードの指定入力がされずに非混載モードの指定入力がされて並行動作制御による読取りが実施されてしまう場合ある。以下に、この場合の概要について説明する。
【００６２】
図５は、実施の形態１にかかるスキャナにおける並行動作制御方式においてジャムが検知された場合を示す説明図である。原稿搬送部２０１によりコンタクトガラス３上にＡ４サイズの原稿が搬送されて停止されている状態から、原稿読取部１０６による原稿を読み取るまでの処理（ステップＳ１４０〜１４７）は、図４における処理（ステップＳ１２０〜１２７）と同様である。
【００６３】
原稿の読み取りが終了すると、原稿情報通信部１０８は、ＡＤＦ４に原稿入替指示信号を送信し、タイマ部１０４が所定時間の計測を開始するとともに、原稿読取部１０６は、リターン動作を行い（ステップＳ１４８）、キャリッジ停止動作を行う（ステップＳ１４９）。この時、ＡＤＦ４では、原稿入替指示信号を受信して、原稿搬送部２０１により原稿入替動作（搬送準備動作）が行われているが（ステップＳ１５０）、直前に読み取った原稿とサイズの異なる原稿が搬送された場合には、動作制御部１０３が並行動作制御から逐次動作制御に切替える。そして、異なる原稿が搬送されてきたことにより、ＡＤＦ４のジャム検知部２０４が原稿をジャムとして検知すると、原稿情報通信部２０２によりジャム検知情報が本体部２に送信される。
【００６４】
このように、逐次動作制御に切替えられると、タイマ部１０４による計測が終了しても、読取準備動作部１０５による読取準備動作を行わない。そして、ジャム検知情報を受信すると、本体部２は原稿の読取処理を終了する。これにより、誤った読取準備動作および原稿の読取処理を行うことを回避でき、さらに印刷装置などの他の装置への不要な画像の提供が軽減される。
【００６５】
次に、スキャナ１にかかる原稿の読取処理の流れについて詳細に説明する。図６は、実施の形態１にかかるスキャナの本体部における１枚目の原稿の読取処理の流れを示すフローチャートである。また、図７は、実施の形態１にかかるスキャナの本体部における２枚目以降の原稿の読取処理の流れを示すフローチャートである。
【００６６】
図６に示すように、まず、入力受付部１０１は、利用者から原稿の読取指示入力、および読取モード（混載モードまたは非混載モード）の指定入力を受付けたか否かを判断する（ステップＳ１０）。読取モード等を受付けていない場合（ステップＳ１０：Ｎｏ）、受付けるまで待機する。一方、読取モード等を受付けた場合（ステップＳ１０：Ｙｅｓ）、モード設定部１０２は、受付けた読取りモードを設定する（ステップＳ１１）。
【００６７】
次に、原稿情報通信部１０８は、原稿入替指示信号をＡＤＦ４に送信する（ステップＳ１２）。そして、原稿入替指示信号を受信したＡＤＦ４は、原稿搬送部２０１により搬送準備動作を行うとともに、原稿サイズ検知部２０３が搬送中の原稿の原稿サイズを検知して、原稿情報通信部２０２が原稿サイズを本体部２に送信する。
【００６８】
本体部２における原稿情報通信部１０８は、ＡＤＦ４から原稿サイズを受信したか否かを判断する（ステップＳ１３）。原稿サイズを受信していない場合（ステップＳ１３：Ｎｏ）、受信するまで待機する。一方、原稿サイズを受信した場合（ステップＳ１３：Ｙｅｓ）、受信した原稿サイズを原稿サイズ記憶部１２０に記憶する（ステップＳ１４）。
【００６９】
次に、原稿情報通信部１０８は、原稿がコンタクトガラス３上に搬送された旨を示す原稿入替完了通知を受信したか否かを判断する（ステップＳ１５）。原稿入替完了通知を受信していない場合（ステップＳ１５：Ｎｏ）、受信するまで待機する。一方、原稿入替完了通知を受信した場合（ステップＳ１５：Ｙｅｓ）、読取準備動作部１０５は、読取準備動作を行う（ステップＳ１６）。
【００７０】
読取準備動作が終了すると、原稿読取部１０６は、原稿を読み取る（ステップＳ１７）。そして、１枚目の原稿を読取処理が終了すると、２枚目以降の原稿の読取処理に遷移する（ステップＳ１８）。このように、１枚目の原稿を読取る際は、混載モードおよび非混載モードのいずれの読取モードが設定されていても、搬送準備動作が終了した後に読取準備動作を行う逐次動作制御が行われる。
【００７１】
次に、図７に示すように、原稿情報通信部１０８は、原稿台１１に次の原稿が載置されているか否かを判断する（ステップＳ３０）。次の原稿が載置されていない場合（ステップＳ３０：Ｎｏ）、スキャナ１は読取処理を終了する。
【００７２】
一方、次の原稿が載置されている場合（ステップＳ３０：Ｙｅｓ）、原稿入替指示信号をＡＤＦ４に送信する（ステップＳ３１）。そして、原稿入替指示信号を受信したＡＤＦ４は、原稿搬送部２０１により搬送準備動作を行うとともに、原稿サイズ検知部２０３が搬送中の原稿の原稿サイズを検知して、原稿情報通信部２０２が原稿サイズを本体部２に送信する。
【００７３】
次に、動作制御部１０３は、読取モードが非混載モードに設定されているか否かを判断する（ステップＳ３２）。非混載モードに設定されている場合（ステップＳ３２：Ｙｅｓ）、動作制御部１０３は、並行動作制御によって原稿の読取りを行う。本体部２におけるタイマ部１０４は、所定時間の計測を開始（タイマセット）する（ステップＳ３３）。
【００７４】
そして、タイマ部１０４による計測が終了（タイムアウト）すると（ステップＳ３４）、原稿情報通信部１０８は、ＡＤＦ４から原稿サイズを受信したか否かを判断する（ステップＳ３５）。原稿サイズを受信していない場合（ステップＳ３５：Ｎｏ）、受信するまで待機する。一方、原稿サイズを受信した場合（ステップＳ３５：Ｙｅｓ）、原稿情報通信部１０８は、受信した原稿サイズが前回の原稿と同一サイズか否かの判断をする（ステップＳ３６）。
【００７５】
同一サイズであると判断された場合（ステップＳ３６：Ｙｅｓ）、原稿情報通信部１０８は、受信した原稿サイズを原稿サイズ記憶部１２０に記憶する（ステップＳ３７）。そして、読取準備動作部１０５は、読取準備動作を行い（ステップＳ３８）、該読取り準備動作中に、原稿情報通信部１０８は、ＡＤＦ４からの原稿入替完了通知を受信する（ステップＳ３９）。読取準備動作が終了すると、原稿読取部１０６が原稿を読取るとともに、画像提供部１０７が他の装置、例えば印刷装置、ファクシミリ装置等に読み取った画像を提供する（ステップＳ４５）。そして原稿の読取りおよび画像の提供が終了すると、ステップＳ３０へ戻って処理を繰り返す。
【００７６】
一方、ステップＳ３２において、混載モードに設定されている場合（ステップＳ３２：Ｎｏ）、動作制御部１０３は、逐次動作制御によって原稿の読取りを行う。本体部２における原稿情報通信部１０８は、ＡＤＦ４から原稿サイズを受信したか否かを判断する（ステップＳ４０）。原稿サイズを受信していない場合（ステップＳ４０：Ｎｏ）、受信するまで待機する。一方、原稿サイズを受信した場合（ステップＳ４０：Ｙｅｓ）、原稿情報通信部１０８は、受信した原稿サイズを原稿サイズ記憶部１２０に記憶する（ステップＳ４１）。
【００７７】
次に、原稿情報通信部１０８は、ＡＤＦ４からジャム検知情報を受信したか否かを判断する（ステップＳ４２）。ジャム検知情報を受信した場合（ステップＳ４２：Ｙｅｓ）、スキャナ１は読取処理を終了する。一方、ジャム検知情報を受信していない場合（ステップＳ４２：Ｎｏ）、原稿情報通信部１０８は、ＡＤＦ４から原稿入替完了通知を受信したか否かを判断する（ステップＳ４３）。原稿入替完了通知を受信していない場合（ステップＳ４３：Ｎｏ）、ステップＳ４２に戻って処理を繰り返す。
【００７８】
一方、原稿入替完了通知を受信した場合（ステップＳ４３：Ｙｅｓ）、読取準備動作部１０５は、読取準備動作を行う（ステップＳ４４）。読取準備動作が終了すると、原稿読取部１０６が原稿を読取るとともに、画像提供部１０７が他の装置、例えば印刷装置、ファクシミリ装置等に読み取った画像を提供する（ステップＳ４５）。そして原稿の読取りおよび画像の提供が終了すると、ステップＳ３０へ戻って処理を繰り返す。
【００７９】
ステップＳ３６に戻って、原稿情報通信部１０８が受信した原稿サイズが前回の原稿と同一サイズか否かの判断をし（ステップＳ３６）、異なるサイズであると判断された場合（ステップＳ３６：Ｎｏ）、動作制御部１０３は、スキャナ１の読取処理を並行動作制御から逐次動作制御に切替え、ステップＳ４１の処理へと進む。
【００８０】
このように、実施の形態１にかかるスキャナ１は、利用者から非混載モードの指定入力を受けた場合であるにも関わらず、搬送準備動作中に検知された次の原稿の原稿サイズが該次の原稿の直前に読み取った原稿の原稿サイズと異なる場合、すなわち原稿台にサイズの異なる複数の原稿が混載されている場合、搬送準備動作と並行して読取準備動作を行う並行動作制御を行わずに、搬送準備動作の完了後に読取準備動作を開始する逐次動作制御に切り替える。従って、非混載モードの設定時にサイズの異なる原稿を搬送したことによるジャムが検知された場合でも、逐次動作制御に切替えているため搬送準備動作中には読取準備動作を行うことがない。ジャムが検知された場合には読み取った画像が破棄処理されるが、読取準備動作を行うことがないため、破棄処理される不要な画像の読取処理が行われることもなく、印刷装置等の他の装置へ不要な画像を提供することもない。このため、他の装置への不要な画像の提供を抑制して、当該他の装置における不要な画像処理の実行を軽減することができる。
【００８１】
また、並行動作制御から逐次動作制御に切替えることで、並行動作制御による見切り読取りを実施しないため、原稿の読取り動作の開始よりも前に原稿のジャムを検知して読取り画像データを生成しないようにすることができる。また、非混載モードが指定入力され、実際に原稿台に積載された原稿が同一サイズ原稿（非混載）であった場合には、並行動作制御による見切り読取りを実施することで、生産性を向上させることができる。
【００８２】
また、利用者による非混載モードの指定入力が誤りであった場合に、画像のラインごとに印刷用紙に印刷する印刷装置に画像データを提供しないため、破棄対象となる印刷用紙への印刷を抑制し、印刷用紙及びトナーの非効率な利用をしないようにすることができる。また、同様に、利用者による非混載モードの指定入力が誤りであった場合に、画像のラインごとに通信相手に画像データを送信するＦＡＸ装置に画像データを提供しないため、破棄対象となる通信相手への画像データの送信を抑制し、通信データの誤送信を防止し、通信データ総量の削減をすることができる。また、同様に、利用者による非混載モードの指定入力が誤りであった場合に、画像のラインごとに接続ＰＣに画像データを送信し、受信したＰＣに画像を保存する画像読取りシステムにおけるＰＣに画像データを提供しないため、破棄対象となるＰＣへの画像データの送信を抑制し、接続ＰＣとの不必要な画像データの送受信を防止することができる。
【００８３】
（実施の形態２）
実施の形態１にかかるスキャナは、非混載モードの指定入力を受けた場合であるにも関わらず、原稿台にサイズの異なる複数の原稿が混載されている場合、並行動作制御を行わずに逐次動作制御に切り替えるものであった。本実施の形態のスキャナは、これに加えて、混載モードの指定入力を受けた場合であるにも関わらず、原稿台にサイズの同一の複数の原稿が混載されている場合、逐次動作制御を行わずに並行動作制御に切り替える処理を行うよう構成してもよい。
【００８４】
動作制御部１０３は、さらに、入力受付部１０１により混載モードの指定入力を受付け、モード設定部１０２により読取モードが混載モードに設定された場合であっても、ＡＤＦ４から受信した次の原稿の原稿サイズが、直前に読み取った原稿の原稿サイズと同一である場合には、読取準備動作部１０５の動作タイミングを制御することで、逐次動作制御から並行動作制御に切替える。
【００８５】
このように、実施の形態２にかかるスキャナ１では、さらに、混載モードの指定入力を受付けた場合でも非混載モードの指定入力時と同様に、搬送準備動作（原稿入替動作）と並行して原稿の入替時間と読取り時間の差分となる所定時間をタイマ部１０４により計測し、計測終了後に次の原稿のサイズが直前の原稿と同一サイズであると判明している場合は、並行動作制御を実施する。これにより、混載モードにおける同一サイズ原稿の連続読取り速度を向上させることができる。
【００８６】
図８は、実施の形態１、２にかかるスキャナのハードウェア構成を示すブロック図である。本図に示すように、このスキャナ１は、コントローラ３１０とエンジン部（Engine）３６０とをＰＣＩ（Peripheral  Component  Interface）バスで接続した構成となる。コントローラ３１０は、スキャナ１全体の制御と描画、通信、図示しない操作部からの入力を制御するコントローラである。エンジン部３６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部３６０には、プロッタなどのいわゆるエンジン部分に加えて、誤差拡散やガンマ変換などの画像処理部分が含まれる。
【００８７】
コントローラ３１０は、ＣＰＵ３１１と、ノースブリッジ（ＮＢ）３１３と、システムメモリ（ＭＥＭ−Ｐ）３１２と、サウスブリッジ（ＳＢ）３１４と、ローカルメモリ（ＭＥＭ−Ｃ）３１７と、ＡＳＩＣ（Application  Specific  Integrated  Circuit）３１６と、ハードディスクドライブ（ＨＤＤ）３１８とを有し、ノースブリッジ（ＮＢ）３１３とＡＳＩＣ３１６との間をＡＧＰ（Accelerated  Graphics  Port）バス３１５で接続した構成となる。また、ＭＥＭ−Ｐ３１２は、ＲＯＭ（Read  Only  Memory）３１２ａと、ＲＡＭ（Random  Access  Memory)３１２ｂと、をさらに有する。
【００８８】
ＣＰＵ３１１は、スキャナ１の全体制御をおこなうものであり、ＮＢ３１３、ＭＥＭ−Ｐ３１２およびＳＢ３１４からなるチップセットを有し、このチップセットを介して他の機器と接続される。
【００８９】
ＮＢ３１３は、ＣＰＵ３１１とＭＥＭ−Ｐ３１２、ＳＢ３１４、ＡＧＰ３１５とを接続するためのブリッジであり、ＭＥＭ−Ｐ３１２に対する読み書きなどを制御するメモリコントローラと、ＰＣＩマスタおよびＡＧＰターゲットとを有する。
【００９０】
ＭＥＭ−Ｐ３１２は、プログラムやデータの格納用メモリ、プログラムやデータの展開用メモリ、プリンタの描画用メモリなどとして用いるシステムメモリであり、ＲＯＭ３１２ａとＲＡＭ３１２ｂとからなる。ＲＯＭ３１２ａは、プログラムやデータの格納用メモリとして用いる読み出し専用のメモリであり、ＲＡＭ３１２ｂは、プログラムやデータの展開用メモリ、プリンタの描画用メモリなどとして用いる書き込みおよび読み出し可能なメモリである。
【００９１】
ＳＢ３１４は、ＮＢ３１３とＰＣＩデバイス、周辺デバイスとを接続するためのブリッジである。このＳＢ３１４は、ＰＣＩバスを介してＮＢ３１３と接続されており、このＰＣＩバスには、ネットワークインターフェース（Ｉ／Ｆ）部なども接続される。
【００９２】
ＡＳＩＣ３１６は、画像処理用のハードウェア要素を有する画像処理用途向けのＩＣ（Integrated  Circuit）であり、ＡＧＰ３１５、ＰＣＩバス、ＨＤＤ３１８およびＭＥＭ−Ｃ１７をそれぞれ接続するブリッジの役割を有する。このＡＳＩＣ３１６は、ＰＣＩターゲットおよびＡＧＰマスタと、ＡＳＩＣ３１６の中核をなすアービタ（ＡＲＢ）と、ＭＥＭ−Ｃ３１７を制御するメモリコントローラと、ハードウェアロジックなどにより画像データの回転などをおこなう複数のＤＭＡＣ（Direct  Memory  Access  Controller）と、エンジン部３６０との間でＰＣＩバスを介したデータ転送をおこなうＰＣＩユニットとからなる。このＡＳＩＣ３１６には、ＰＣＩバスを介してＦＣＵ（Facsimile  Control  Unit）３３０、ＵＳＢ（Universal  Serial  Bus）３４０、ＩＥＥＥ１３９４（the  Institute  of  Electrical  and  Electronics  engineers  1394）インターフェース３５０が接続される。操作表示部３２０はＡＳＩＣ３１６に直接接続されている。
【００９３】
ＭＥＭ−Ｃ３１７は、コピー用画像バッファ、符号バッファとして用いるローカルメモリであり、ＨＤＤ（Hard  Disk  Drive）３１８は、画像データの蓄積、プログラムの蓄積、フォントデータの蓄積、フォームの蓄積を行うためのストレージである。
【００９４】
ＡＧＰ３１５は、グラフィック処理を高速化するために提案されたグラフィックスアクセラレーターカード用のバスインターフェースであり、ＭＥＭ−Ｐ３１２に高スループットで直接アクセスすることにより、グラフィックスアクセラレーターカードを高速にするものである。
【００９５】
なお、実施の形態１、２のスキャナ１で実行される画像読取プログラムは、ＲＯＭ等に予め組み込まれて提供される。本実施の形態のスキャナ１で実行される画像読取プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００９６】
さらに、実施の形態１、２のスキャナ１で実行される画像読取プログラムを、インターネット等のネットワークに接続されたコンピュータ上に格納し、ネットワーク経由でダウンロードさせることにより提供するように構成しても良い。また、実施の形態１、２のスキャナ１で実行される画像読取プログラムをインターネット等のネットワーク経由で提供または配布するように構成しても良い。
【００９７】
実施の形態１、２のスキャナ１で実行される画像読取プログラムは、上述した各部（入力受付部１０１、モード設定部１０２、動作制御部１０３、タイマ部１０４、読取準備動作部１０５、原稿読取部１０６、画像提供部１０７、原稿情報通信部１０８、原稿搬送部２０１、原稿情報通信部２０２、原稿サイズ検知部２０３、ジャム検知部２０４）を含むモジュール構成となっており、実際のハードウェアとしてはＣＰＵ（プロセッサ）が上記ＲＯＭから画像読取プログラムを読み出して実行することにより上記各部が主記憶装置上にロードされ、入力受付部１０１、モード設定部１０２、動作制御部１０３、タイマ部１０４、読取準備動作部１０５、原稿読取部１０６、画像提供部１０７、原稿情報通信部１０８、原稿搬送部２０１、原稿情報通信部２０２、原稿サイズ検知部２０３、ジャム検知部２０４が主記憶装置上に生成されるようになっている。
【符号の説明】
【００９８】
１  スキャナ
３  コンタクトガラス
４  ＡＤＦ
１１  原稿台
１２  原稿排紙台
１３  分離コロ
１４  給紙コロ
１５  給紙部
１６  搬送ベルト機構
１７  排紙コロ対
１８  搬送コロ
１９  搬送ベルト
２１  照明ランプ
２２  ミラー
２３  第１走行体
２４、２５  ミラー
２６  第２走行体
２７  レンズユニット
２８  ＣＣＤ
１０１  入力受付部
１０２  モード設定部
１０３  動作制御部
１０４  タイマ部
１０５  読取準備動作部
１０６  原稿読取部
１０７  画像提供部
１０８  原稿情報通信部
１０９  画像処理部
１２０  原稿サイズ記憶部
１３０  画像データ記憶部
２０１  原稿搬送部
２０２  原稿情報通信部
２０３  原稿サイズ検知部
２０４  ジャム検知部
【先行技術文献】
【特許文献】
【００９９】
【特許文献１】特開２０００−２２６１３４号公報
【特許文献２】特許第２７４２７９３号公報
【図１】
2010210666.tif 000003
【図２】
2010210666.tif 000004
【図３】
2010210666.tif 000005
【図４】
2010210666.tif 000006
【図５】
2010210666.tif 000007
【図６】
2010210666.tif 000008
【図７】
2010210666.tif 000009
【図８】
2010210666.tif 000010
【図９】
2010210666.tif 000011
【図１０】
2010210666.tif 000012
【図１１】
2010210666.tif 000013